(57)【要約】      （修正有）【課題】スピーカボックス内の温度上昇を防いで、音圧を確保し、良好に音を放音させることができるスピーカボックスおよびそれを備えた投影装置を提供する。【解決手段】スピーカ７を収容するスピーカボックス８であって、スピーカ７の中心軸と平行なスピーカボックス８の第１の側面部８ａにスピーカ７の中心部Ｇを避けて設けられた排気口である第１の通気口１１と、スピーカ７を挟んで第１の側面部８ａに対向するスピーカボックス８の第２の側面部８ｂにスピーカ７の中心部Ｇを避けて設けられた吸気口である第２の通気口１２と、を備える。【選択図】図４
2018133706.tif 000002
【特許請求の範囲】
【請求項１】
スピーカを収容するスピーカボックスであって、
前記スピーカの中心軸と平行な前記スピーカボックスの第１の側面部に、前記スピーカの中心部を避けて設けられた排気口と、
前記スピーカを挟んで前記第１の側面部に対向する前記スピーカボックスの第２の側面部に、前記スピーカの中心部を避けて設けられた吸気口と、
を備えていることを特徴するスピーカボックス。
【請求項２】
請求項１に記載のスピーカボックスにおいて、
前記排気口は、前記スピーカの中心部と前記第１の側面部とを結ぶ前記第１の側面部の法線軸に対して外れた位置に設けられており、
前記吸気口は、前記スピーカの中心部と前記第２の側面部とを結ぶ前記第２の側面部の法線軸に対して外れた位置に設けられていることを特徴とするスピーカボックス。
【請求項３】
請求項１または請求項２に記載のスピーカボックスにおいて、前記排気口と前記吸気口とは、前記スピーカを挟んで互いに対向して設けられていることを特徴するスピーカボックス。
【請求項４】
請求項１〜請求項３のいずれかに記載のスピーカボックスにおいて、前記排気口と前記吸気口とは、前記スピーカの前記中心軸と平行な方向に沿ってそれぞれスリット状に設けられていることを特徴するスピーカボックス。
【請求項５】
請求項１〜請求項３のいずれかに記載のスピーカボックスにおいて、前記排気口と前記吸気口とは、前記スピーカの前記中心軸と平行な方向に沿ってそれぞれ複数の孔が配列されていることを特徴するスピーカボックス。
【請求項６】
請求項１〜請求項３のいずれかに記載のスピーカボックスにおいて、前記排気口と前記吸気口とは、前記スピーカの前記中心軸と直交する方向に沿ってそれぞれスリット状に設けられていることを特徴するスピーカボックス。
【請求項７】
請求項１〜請求項３のいずれかに記載のスピーカボックスにおいて、前記排気口と前記吸気口とは、前記スピーカの前記中心軸と直交する方向に沿ってそれぞれ複数の孔が配列されていることを特徴するスピーカボックス。
【請求項８】
請求項１〜請求項７のいずれかに記載のスピーカボックスにおいて、前記スピーカの外周には、仕切部材が、前記スピーカの中心部と前記排気口とを放射状に結ぶ線上、または前記スピーカの中心部と前記吸気口とを放射状に結ぶ線上に設けられていることを特徴とするスピーカボックス。
【請求項９】
請求項１〜請求項８のいずれかに記載のスピーカボックスにおいて、前記排気口と前記吸気口とに空気を流通させるための冷却ファンを備えていることを特徴とするスピーカボックス。
【請求項１０】
請求項１〜請求項９のいずれかに記載のスピーカボックスにおいて、
前記スピーカは、電磁石、振動板およびコーンを備え、
前記スピーカの中心部は、前記スピーカの振動板と前記スピーカの中心軸との交点の位置であることを特徴とするスピーカボックス。
【請求項１１】
請求項１〜請求項１０のいずれかに記載されたスピーカボックスを備えていることを特徴とする投影装置。
【発明の詳細な説明】
【技術分野】
【０００１】
この発明は、スピーカを備えた投影装置などの電子機器に用いられるスピーカボックスおよびそれを備えた投影装置に関する。
【背景技術】
【０００２】
例えば、投影装置においては、特許文献１に記載されているように、外装ケース内に、映像などの画像を投影する投影部と、音声などの音を発生するスピーカ部と、外装ケース内を冷却する冷却部と、を収容したものが知られている。
【先行技術文献】
【特許文献】
【０００３】
【特許文献１】特開２０１６−５１８６８号公報
【０００４】
このような投影装置のスピーカ部は、スピーカとスピーカボックスとを備え、スピーカがスピーカボックス内に収容された状態で、スピーカボックスが外装ケース内に取り付けられている。この場合、スピーカボックスは、前面が開放された箱状に形成され、この開放された前面からスピーカの前面を露出させた状態で、スピーカを収容するように構成されている。
【発明の概要】
【発明が解決しようとする課題】
【０００５】
このような投影装置のスピーカ部では、スピーカがその前面を除いてスピーカボックスによって囲われているため、スピーカボックス内に熱がこもり易く、スピーカボックス内の温度が上昇してしまうという問題がある。
【０００６】
そこで、このような問題を解消するために、スピーカボックスに孔を開けることが考えられているが、スピーカボックスに単に孔を開けただけでは、スピーカボックス内を十分に冷却することができないばかりか、スピーカボックス内の音圧が低下し、良好に音を放音させることができないという問題が生じる。
【０００７】
この発明が解決しようとする課題は、スピーカボックス内の温度上昇を防いで、音圧を確保し、良好に音を放音させることができるスピーカボックスおよびそれを備えた投影装置を提供することである。
【課題を解決するための手段】
【０００８】
この発明は、スピーカを収容するスピーカボックスであって、前記スピーカの中心軸と平行な前記スピーカボックスの第１の側面部に、前記スピーカの中心部を避けて設けられた排気口と、前記スピーカを挟んで前記第１の側面部に対向する前記スピーカボックスの第２の側面部に、前記スピーカの中心部を避けて設けられた吸気口と、を備えていることを特徴するスピーカボックスである。
【発明の効果】
【０００９】
この発明によれば、スピーカボックス内の温度上昇を防ぐことができると共に、スピーカボックス内の音圧を確保することができ、これにより良好に音を放音させることができる。
【図面の簡単な説明】
【００１０】
【図１】この発明を適用した投影装置の第１実施形態を示した斜視図である。
【図２】図１に示されたスピーカ部を示した拡大斜視図である。
【図３】図２に示されたスピーカ部を示し、（ａ）はその正面図、（ｂ）はそのＡ−Ａ矢視における断面図である。
【図４】図２に示されたスピーカ部を示し、（ａ）はそのスピーカ部を右側から見た側面図、（ｂ）は図３（ｂ）のＢ−Ｂ矢視における断面図である。
【図５】図２に示されたスピーカ部の第１変形例を示した拡大斜視図である。
【図６】図５に示されたスピーカ部を示し（ａ）はそのＣ−Ｃ矢視における断面図、（ｂ）はそれを右側から見た側面図である。
【図７】この発明を適用した投影装置の第２実施形態におけるスピーカ部を示した拡大斜視図である。
【図８】図７に示されたスピーカ部を示し、（ａ）はその正面図、（ｂ）はそのＤ−Ｄ矢視における断面図である。
【図９】図７に示されたスピーカ部を示し、（ａ）はそれを右側から見た側面図、（ｂ）は図８（ｂ）のＥ−Ｅ矢視における断面図である。
【図１０】図７に示されたスピーカ部の第２変形例を示した拡大斜視図である。
【図１１】図１０に示されたスピーカ部を示し、（ａ）はそのＦ−Ｆ矢視における断面図、（ｂ）はそれを右側から見た側面図である。
【図１２】この発明を適用した投影装置におけるスピーカ部の第３変形例を示した要部の断面図である。
【図１３】この発明を適用した投影装置におけるスピーカ部の第４変形例を示した要部の断面図である。
【発明を実施するための形態】
【００１１】
（第１実施形態）
以下、図１〜図４を参照して、この発明を適用した投影装置の第１実施形態について説明する。
この投影装置は、図１に示すように、箱状に形成された外装ケース１を備えている。この外装ケース１の内部には、映像などの画像を投影する投影部２と、音声などの音を発生するスピーカ部３と、このスピーカ部３を冷却する冷却部４と、が収容されている。
【００１２】
この投影装置は、図１に示すように、外装ケース１を卓上（図示せず）に配置させた際に、その外装ケース１の前方（図１では左側）に配置されたスクリーン（図示せず）に投影部２が画像を投影すると共に、外装ケース１を挟んでスクリーンと反対側に位置する外装ケース１の背面側（図１では右側）にユーザが位置し、このユーザ側に向けてスピーカ部３が音声などの音を放音させるように構成されている。
【００１３】
即ち、投影部２は、図１に示すように、外装ケース１内の前面側（図１では左側）に配置され、外装ケース１の前方に位置するスクリーン（図示せず）に画像を投影するように構成されている。スピーカ部３は、投影部２と反対側に位置する外装ケース１内の背面側（図１では右側）のほぼ中間部に配置され、外装ケース１の背面方向に位置するユーザに向けて音声などの音を放音するように構成されている。
【００１４】
また、冷却部４は、図１に示すように、冷却ファン５と流路部６とを備えている。冷却ファン５は、投影部２と反対側に位置する外装ケース１内の背面側に位置してスピーカ部３の手前側に並んで配置され、外装ケース１の外部から外装ケース１の内部に空気を取り込むように構成されている。
【００１５】
流路部６は、図１に示すように、冷却ファン５が位置する外装ケース１の手前側の第１側部１ａと、その反対側に位置する外装ケース１の奥側の第２側部１ｂとの間に亘って設けられている。即ち、この流路部６内には、冷却ファン５とスピーカ部３とが並んだ状態で配置されている。
【００１６】
この場合、外装ケース１の手前側の第１側部１ａには、図１に示すように、排気口６ａが流路部６に対応して設けられている。この排気口６ａは、複数のスリット孔によって形成されている。また、外装ケース１の奥側の第２側部１ｂには、吸気口６ｂが流路部６に対応して設けられている。この吸気口６ｂは、排気口６ａと同様、複数のスリット孔によって形成されている。
【００１７】
これにより、冷却部４は、図１に示すように、冷却ファン５によって外装ケース１の外部の空気を外装ケース１の第２側部１ｂの吸気口６ｂから外装ケース１内の流路部６内に取り込み、この取り込んだ空気を流路部６でスピーカ部３に導き、この導いた空気でスピーカ部３を冷却させ、この冷却した空気を外装ケース１の第１側部１ａの排気口６ａから外部に排出させるように構成されている。
【００１８】
ところで、スピーカ部３は、図２〜図４に示すように、スピーカ７とスピーカボックス８とを備えている。スピーカ７は、図３（ｂ）に示すように、電磁石７ａ、振動板７ｂ、およびコーン７ｃを備え、これらがフレーム９によってスピーカボックス８内に取り付けられるように構成されている。スピーカボックス８は、スピーカ７のコーン７ｃの前面（図２では右側面）を外部に露出させるために、前側面が開放されたほぼ四角形の箱状に形成されている。
【００１９】
これにより、スピーカボックス８は、図２〜図４に示すように、その内部にスピーカ７が前面側から挿入されて配置され、スピーカ７のコーン７ｃを外部に露出させた状態で、フレーム９がスピーカボックス８の前面側の内部にビス９ａによって取り付けられることにより、スピーカ７がスピーカボックス８内に取り付けられている。
【００２０】
また、このスピーカボックス８は、図１に示すように、外装ケース１内に配置された際に、投影部２と反対側に位置する外装ケース１の背面側の第３側部１ｃにスピーカ７のコーン７ｃが位置するスピーカボックス８の前面を対応させた状態で、外装ケース１内にビス止めによって取り付けられている。
【００２１】
この場合、外装ケース１の背面側の第３側部１ｃには、図１に示すように、スピーカボックス８の開放された前面が対応する開口部（図示せず）が設けられており、この開口部には、スピーカネット１０が設けられている。これにより、スピーカ７は、音声などの音を発生した際に、その音がスピーカネット１０を通して外装ケース１の背面側である第３側部１ｃから外部に放音されるように構成されている。
【００２２】
また、このスピーカボックス８は、図２〜図４に示すように、スピーカ７の中心軸Ｓと平行な第１の側面部８ａ（図２では手前側面）にスピーカ７の中心部Ｇを避けて設けられた排気口である第１の通気口１１と、スピーカ７を挟んで第１の側面部８ａに対向する第２の側面部８ｂ（図２では奥側面）にスピーカ７の中心部Ｇを避けて設けられた吸気口である第２の通気口１２と、が設けられている。スピーカ７の中心部Ｇの位置は、スピーカ７の振動板７ｂとスピーカ７の中心軸Ｓとの交点の位置とする。
【００２３】
この場合、スピーカボックス８は、図１に示すように、その第１の側面部８ａが冷却ファン５に対応して隣接し、第２の側面部８ｂが冷却ファン５と反対に位置した状態で、外装ケース１内に配置されている。第１の側面部８ａに設けられた第１の通気口１１と、第２の側面部８ｂに設けられた第２の通気口１２とは、図４（ｂ）に示すように、スピーカ７を挟んで互いに対向して設けられている。
【００２４】
この場合、第１の通気口１１は、図２および図４（ｂ）に示すように、第１の側面部８ａにおいて、スピーカ７の中心部Ｇを避けた位置、つまりスピーカ７の中心部Ｇよりも下側に位置する下辺部側に位置して設けられている。即ち、この第１の通気口１１は、スピーカ７の音の指向性、つまりスピーカ７の中心軸Ｓを中心とする同心円状の音の指向性による音の漏れが少なくなる位置に設けられている。
【００２５】
また、第２の通気口１２は、図３（ｂ）および図４に示すように、第２の側面部８ｂにおいて、スピーカ７の中心部Ｇを避けた位置、つまりスピーカ７の中心部Ｇよりも下側に位置する下辺部側に位置して設けられている。即ち、この第２の通気口１２は、スピーカ７の音の指向性、つまりスピーカ７の中心軸Ｓを中心とする同心円状の音の指向性による音の漏れが少なくなる位置に設けられている。このように、第１の通気口１１と第２の通気口１２とは、互いに対応する位置に設けられている。
【００２６】
また、第１、第２の通気口１１、１２は、図２〜図４に示すように、スピーカ７の中心軸Ｓと平行な横方向に沿ってそれぞれスリット状に細長く設けられている。これら第１、第２の通気口１１、１２は、その両方がほぼ同じ大きさで、スピーカ７を挟んで互いに対向して設けられている。
【００２７】
即ち、第１、第２の通気口１１、１２それぞれは、図２〜図４に示すように、スピーカ７の中心軸Ｓと平行な横方向の長さがスピーカ７の中心軸Ｓと直交する縦方向の長さよりも十分に長く形成されている。このため、これら第１、第２の通気口１１、１２は、スピーカボックス８内におけるスピーカ７の音圧の低下を防ぎ、かつスピーカボックス８内の通気性を確保してスピーカボックス８内の温度上昇を防ぐ大きさに形成されている。
【００２８】
これにより、スピーカボックス８は、図１および図５に示すように、冷却ファン５によって外装ケース１の外部の空気が外装ケース１の吸気口６ｂから流路部６内に取り込まれて外装ケース１の排気口６ａから外部に排出される際に、外装ケース１内の流路部６内に取り込まれた空気がスピーカボックス８内を通り抜けることにより、スピーカボックス８の内部を冷却するように構成されている。
【００２９】
即ち、このスピーカボックス８は、図５に示すように、冷却ファン５によって外装ケース１内に取り込まれた空気がスピーカボックス８の第２の通気口１２からスピーカボックス８の内部に取り込まれ、この取り込まれた空気がスピーカボックス８の第１通気口１１から外装ケース１内に排出されることにより、スピーカボックス８の内部を冷却させてスピーカ７を冷却するように構成されている。
【００３０】
また、このスピーカボックス８は、図２および図５に示すように、その内部を空気が第２の通気口１２から第１の通気口１１に向けて流れるときに、スピーカ７が音声や音楽などの音を発生させた際に、第１、第２の通気口１１、１２がスピーカ７の中心部Ｇからずれていることにより、第１、第２の通気口１１、１２からの音の漏れが少なく、スピーカボックス８内の音圧の低下を軽減させて、音圧を確保するように構成されている。
【００３１】
次に、このような投影装置の作用について説明する。
この投影装置を使用する場合には、外装ケース１を卓上（図示せず）に配置し、この外装ケース１内の投影部２の前方（図１では左側）にスクリーン（図示せず）を配置し、この投影部２と反対側に位置する外装ケース１の背面側（図１では右側）にユーザが位置する。この状態で、投影部２によって映像などの画像をスクリーンに投影すると、その投影された画像をユーザが外装ケース１を越えて見ることができる。
【００３２】
この状態で、スピーカ部３のスピーカ７を駆動させて音声や音楽などの音を発生させると、その発生した音が外装ケース１の背面側に位置する第３側部１ｃのスピーカネット１０を通してユーザ側に向けて放音される。即ち、スピーカ部３で音声や音楽などの音を発生させる場合には、スピーカ７の電磁石７ａを駆動させて、振動板７ｂを振動させることにより、その振動板７ｂの振動に応じて音声や音楽などの音が発生されてユーザ側に向けて放音される。
【００３３】
このときには、冷却部４の冷却ファン５が動作して、外装ケース１の外部の空気が外装ケース１の吸気口６ｂから外装ケース１内の流路部６内に取り込まれ、この取り込まれた空気が流路部６内を流れ、この空気が流路部６内に配置されたスピーカ部３を冷却させ、この冷却した空気が冷却ファン５によって外装ケース１の排出口６ａから外装ケース１の外部に排出される。
【００３４】
このため、スピーカ部３のスピーカ７が音を発生させて、スピーカボックス８内の温度が徐々に高くなっても、冷却ファン５によってスピーカボックス８内の温度上昇が防げる。即ち、冷却ファン５によって流路部６内を空気が流れる際には、スピーカボックス８の第２の通気口１２からスピーカボックス８内に空気が流れ込み、この流れ込んだ空気がスピーカボックス８の第１の通気口１１から送り出されることにより、スピーカボックス８内が冷却される。
【００３５】
このときには、第１、第２の通気口１１、１２それぞれが、スピーカ７の中心軸Ｓと平行な横方向に沿ってそれぞれスリット状に細長く設けられ、かつこれら第１、第２の通気口１１、１２がスピーカ７を挟んで互いに対向して設けられていることにより、第２の通気口１２からスピーカボックス８内を経て第１の通気口１１に向けて空気が効率良く流れ、スピーカボックス８内が良好に冷却される。
【００３６】
また、このときには、第１、第２の通気口１１、１２それぞれがスピーカ７の中心部Ｇを避けた位置で、スピーカ７の中心軸Ｓと平行な横方向に沿ってそれぞれスリット状に細長く設けられていることにより、スピーカ７が音声や音楽などの音を発生させた際に、第１、第２の通気口１１、１２からの音の漏れが少ない。
【００３７】
即ち、第１、第２の通気口１１、１２それぞれがスピーカ７の中心部Ｇを避けた位置、つまりスピーカ７の中心部Ｇよりも下側に位置する下辺部側に位置していることにより、スピーカ７の音の指向性、つまりスピーカ７の中心軸Ｓを中心とする同心円状の音の指向性による第１、第２の通気口１１、１２からの音の漏れが少なくなり、スピーカボックス８内の音圧の低下を軽減させて、音圧が確保されることにより、音声や音楽などの音を良好に放音させることができる。
【００３８】
このように、この投影装置のスピーカボックス８によれば、スピーカ７を収容するスピーカボックス８であって、スピーカ７の中心軸Ｓと平行なスピーカボックス８の第１の側面部８ａにスピーカ７の中心部Ｇを避けて設けられた第１の通気口１１と、スピーカ７を挟んで第１の側面部８ａに対向するスピーカボックス８の第２の側面部８ｂにスピーカ７の中心部Ｇを避けて設けられた第２の通気口１２と、を備えていることにより、スピーカボックス８内の温度上昇を防いで、音圧を確保し、良好に音を放音させることができる。
【００３９】
即ち、この投影装置のスピーカボックス８では、第１の通気口１１と第２の通気口１２とがスピーカ７を挟んで対向するスピーカボックス８の第１の側面部８ａと第２の側面部８ｂとにそれぞれ設けられていることにより、スピーカボックス８内に空気を流れ易くすることができるので、スピーカボックス８内の温度上昇を確実にかつ良好に防ぐことができる。
【００４０】
また、この投影装置のスピーカボックス８では、第１の通気口１１と第２の通気口１２とがスピーカ７の中心部Ｇを避けて設けられていることにより、スピーカ７の音の指向性、つまりスピーカ７の中心軸Ｓを中心とする同心円状の音の指向性に伴う、第１、第２の通気口１１、１２からの音の漏れを軽減することができ、これによりスピーカボックス８内の音圧を確保することができるので、スピーカ７の音を良好に放音させることができる。
【００４１】
この場合、第１の通気口１１と第２の通気口１２とは、スピーカ７を挟んで対向するスピーカボックス８の第１の側面部８ａと第２の側面部８ｂとに互いに対向して設けられていることにより、スピーカボックス８内に空気を効率良くかつ円滑に流すことができるので、より一層、スピーカボックス８内の温度上昇を確実にかつ良好に防ぐことができる。
【００４２】
また、第１の通気口１１と第２の通気口１２とは、スピーカ７の中心軸Ｓと平行な方向に沿ってそれぞれスリット状に設けられていることにより、スピーカボックス８内に空気を良好に流すことができると共に、スピーカ７で発生した音が第１の通気口１１と第２の通気口１２とから漏れるのを良好に軽減することができ、これによりスピーカボックス８内の音圧を確保することができるので、より一層、スピーカ７の音を良好に放音させることができる。
【００４３】
即ち、第１の通気口１１と第２の通気口１２とは、スピーカ７の中心軸Ｓと平行な横方向の長さがスピーカ７の中心軸Ｓと直交する縦方向の長さよりも十分に長く形成された細長いスリット状に形成されているので、スピーカ７で発生した音が第１の通気口１１と第２の通気口１２とから漏れるのを確実にかつ良好に抑えることができ、これにより、より一層、スピーカボックス８内の音圧を確保することができる。
【００４４】
さらに、このスピーカボックス８では、第１の通気口１１と第２の通気口１２とに空気を流通させるための冷却ファン５を備えていることにより、この冷却ファン５によってスピーカボックス８内に空気を強制的に流すことができるので、スピーカボックス８内を確実にかつ良好に冷却することができる。
【００４５】
即ち、このスピーカボックス８では、冷却ファン５によってスピーカボックス８の第２の通気口１２からスピーカボックス８内に空気を取り込むことができ、この取り込んだ空気をスピーカボックス８の第１の通気口１１から送り出することができるので、スピーカボックス８内に空気を確実にかつ良好に流すことができ、これによりスピーカボックス８内を確実にかつ良好に冷却することができる。
【００４６】
なお、上述した第１実施形態では、スピーカ７を挟んで対向するスピーカボックス８の第１の側面部８ａと第２の側面部８ｂとに、第１の通気口１１と第２の通気口１２とをスピーカ７の中心軸Ｓと平行な横方向に沿ってそれぞれスリット状に設けた場合について述べたが、この発明はこれに限らず、例えば、図５および図６に示す第１変形例のように、排気口である第１の通気口１５と吸気口である第２の通気口１６とを形成しても良い。
【００４７】
即ち、この第１変形例は、図５および図６に示すように、第１の通気口１５と第２の通気口１６とが、スピーカ７の中心軸Ｓと平行な横方向に沿ってそれぞれ複数の孔１５ａ、１６ａを配列させた構成になっている。この場合にも、第１の通気口１５と第２の通気口１６とは、スピーカ７の中心部Ｇを避けて設けられていると共に、スピーカ７を挟んでスピーカボックス８の第１の側面部８ａと第２の側面部８ｂとに互いに対向して設けられている。
【００４８】
このため、このようなスピーカボックス８においても、第１実施形態と同様、第１の通気口１５と第２の通気口１６とによって、スピーカボックス８内の温度上昇を防ぐことができると共に、スピーカボックス８内の音圧を確保することができ、これによりスピーカ７の音を良好に放音させることができる。
【００４９】
（第２実施形態）
次に、図７〜図９を参照して、この発明を適用した投影装置の第２実施形態について説明する。なお、図１〜図４に示された第１実施形態と同一部分には同一符号を付して説明する。
この投影装置は、図７〜図９に示すように、スピーカボックス８の排気口である第１の通気口２０と吸気口である第２の通気口２１とが第１実施形態と異なる構造であり、これ以外は第１実施形態と同じ構造になっている。
【００５０】
即ち、第１の通気口２０は、図７〜図９に示すように、スピーカ７の中心軸Ｓと平行なスピーカボックス８の第１の側面部８ａ（図７では手前側面）にスピーカ７の中心部Ｇを避けて設けられている。また、第２の通気口２１は、スピーカ７を挟んで第１の側面部８ａに対向するスピーカボックス８の第２の側面部８ｂ（図７では奥側面）にスピーカ７の中心部Ｇを避けて設けられている。
【００５１】
この場合、第１の通気口２０と第２の通気口２１とは、図７〜図９に示すように、スピーカ７の中心部Ｇを避けた位置、例えばスピーカ７の電磁石７ａに対応するスピーカボックス８の後部側（図８（ｂ）では左側部）にそれぞれ設けられている。また、これら第１、第２の通気口２０、２１は、その両方がほぼ同じ大きさで、スピーカ７を挟んで互いに対向して設けられている。
【００５２】
また、第１の通気口２０は、図７および図９に示すように、第１の側面部８ａにおいて、スピーカ７の中心部Ｇを避けた位置、つまりスピーカ７の中心部Ｇよりも後部側（図８（ｂ）では左側部）に位置して設けられている。即ち、この第１の通気口２０は、スピーカ７の音の指向性、つまりスピーカ７の中心軸Ｓを中心とする同心円状の音の指向性による音の漏れが少なくなる位置に設けられている。
【００５３】
同様に、第２の通気口２１は、図７および図９に示すように、第２の側面部８ｂにおいて、スピーカ７の中心部Ｇを避けた位置、つまりスピーカ７の中心部Ｇよりも後部側（図８（ｂ）では左側部）に位置して設けられている。即ち、この第２の通気口２１も、スピーカ７の音の指向性、つまりスピーカ７の中心軸Ｓを中心とする同心円状の音の指向性による音の漏れが少なくなる位置に設けられている。
【００５４】
これら第１の通気口２０と第２の通気口２１とは、図７〜図９に示すように、スピーカ７の中心軸Ｓと直交する縦方向に沿ってそれぞれスリット状に細長く設けられている。即ち、これら第１、第２の通気口２０、２１とは、スピーカ７の中心軸Ｓと直交する縦方向の長さがスピーカ７の中心軸Ｓと平行な横方向の長さよりも十分に長く形成されている。
【００５５】
即ち、これら第１の通気口２０と第２の通気口２１とは、図７〜図９に示すように、スピーカボックス８内におけるスピーカ７の音圧の低下を軽減させ、かつスピーカボックス８内の通気性を確保してスピーカボックス８内の温度上昇を防ぐような大きさに形成されている。
【００５６】
これにより、スピーカボックス８は、図７〜図９に示すように、第１実施形態と同様、冷却ファン５によって外装ケース１の外部の空気が外装ケース１の吸気口６ｂから流路部６内に取り込まれて外装ケース１の排気口６ａから外部に排出される際に、外装ケース１内の流路部６内に取り込まれた空気がスピーカボックス８内を通り抜けることにより、スピーカボックス８内を冷却するように構成されている。
【００５７】
即ち、このスピーカボックス８は、図７〜図９に示すように、第１実施形態と同様、冷却ファン５によって外装ケース１内に取り込まれた空気がスピーカボックス８の第２の通気口２１からスピーカボックス８の内部に取り込まれ、この取り込まれた空気がスピーカボックス８の第１通気口２０から外装ケース１内の流路部６内に排出されることにより、スピーカボックス８内を冷却させてスピーカ７を冷却するように構成されている。
【００５８】
また、このスピーカボックス８は、図７〜図９に示すように、その内部を空気が第２の通気口２１から第１の通気口２０に向けて流れるときに、スピーカ７が音声や音楽などの音を発生させた際に、第１、第２の通気口２０、２１がスピーカ７の中心部Ｇからずれていることにより、第１、第２の通気口２０、２１からの音の漏れが少なく、スピーカボックス８内の音圧の低下を軽減させて、音圧を確保するように構成されている。
【００５９】
次に、このような投影装置の作用について説明する。
この投影装置は、第１実施形態と同様、外装ケース１を卓上（図示せず）に配置し、この状態で投影部２によって映像などの画像をスクリーン（図示せず）に投影すると、その投影された画像をユーザが外装ケース１を越して見ることができる。また、この状態でスピーカ部３のスピーカ７が音声や音楽などの音を発生させると、その発生した音が外装ケース１の第３側部１ｃのスピーカネット１０を通してユーザ側に向けて放音される。
【００６０】
このときには、第１実施形態と同様、冷却部４の冷却ファン５が動作して、外装ケース１の外部の空気が外装ケース１の吸気口６ｂから外装ケース１内の流路部６内に取り込まれ、この取り込まれた空気が流路部６内を流れ、この空気が流路部６内に配置されたスピーカ部３を冷却させ、この冷却した空気が冷却ファン５によって外装ケース１の排出口６ａから外装ケース１の外部に排出される。
【００６１】
このため、スピーカ７が音を発生させて、スピーカボックス８内の温度が徐々に高くなっても、冷却ファン５によってスピーカボックス８内の温度上昇が防げる。即ち、冷却ファン５によってス流路部６内を空気が流れる際には、第１実施形態と同様、スピーカボックス８の第２の通気口２１からスピーカボックス８内に空気が流れ込み、この流れ込んだ空気がスピーカボックス８の第１の通気口２０から送り出されることにより、スピーカボックス８内が冷却される。
【００６２】
このときには、第１、第２の通気口２０、２１それぞれがスピーカ７の中心軸Ｓと直交する縦方向に沿ってそれぞれスリット状に細長く設けられ、かつこれら第１、第２の通気口２０、２１がスピーカ７を挟んで互いに対向して設けられていることにより、第２の通気口２１からスピーカボックス８内を経て第１の通気口２０に向けて空気が効率良く流れ、スピーカボックス８内が良好に冷却される。
【００６３】
また、このときには、第１、第２の通気口２０、２１それぞれがスピーカ７の中心部Ｇを避けた位置、つまりスピーカ７の中心部Ｇよりも後部側に位置で、スピーカ７の中心軸Ｓと直交する縦方向に沿ってそれぞれスリット状に細長く設けられていることにより、スピーカ７が音声や音楽などの音を発生させた際に、第１、第２の通気口２０、２１からの音の漏れが少ない
【００６４】
即ち、第１、第２の通気口２０、２１それぞれがスピーカ７の中心部Ｇを避けた位置、つまりスピーカ７の中心部Ｇよりも後部側に位置していることにより、スピーカ７の音の指向性、つまりスピーカ７の中心軸Ｓを中心とする同心円状の音の指向性による第１、第２の通気口２０、２１からの音の漏れが少なくなり、スピーカボックス８内の音圧の低下を軽減させて、音圧が確保されることにより、音声や音楽などの音を良好に放音させることができる。
【００６５】
第１の通気口（排気口）２０は、スピーカ７の中心部Ｇと第１の側面部８ａとを結ぶ第１の側面部８ａの法線軸に対して外れた位置に設けられており、第２の通気口（吸気口）２１は、スピーカ７の中心部Ｇと第２の側面部８ｂとを結ぶ第２の側面部８ｂの法線軸に対して外れた位置に設けられている。
【００６６】
このように、この投影装置のスピーカボックス８によれば、第１実施形態と同様、スピーカ７を収容するスピーカボックス８であって、スピーカ７の中心軸Ｓと平行なスピーカボックス８の第１の側面部８ａにスピーカ７の中心部Ｇを避けて設けられた第１の通気口２０と、スピーカ７を挟んで第１の側面部８ａに対向するスピーカボックス８の第２の側面部８ｂにスピーカ７の中心部Ｇを避けて設けられた第２の通気口２１と、を備えていることにより、スピーカボックス８内の温度上昇を防いで、音圧を確保し、良好に音を放音させることができる。
【００６７】
即ち、この投影装置のスピーカボックス８では、第１の通気口２０と第２の通気口２１とがスピーカ７を挟んで対向するスピーカボックス８の第１の側面部８ａと第２の側面部８ｂとにそれぞれ設けられていることにより、第１実施形態と同様、スピーカボックス８内に空気を流れ易くすることができるので、スピーカボックス８内の温度上昇を確実にかつ良好に防ぐことができる。
【００６８】
また、この投影装置のスピーカボックス８では、第１の通気口２０と第２の通気口２１とがスピーカ７の中心部Ｇを避けて設けられていることにより、第１実施形態と同様、スピーカ７の音の指向性、つまりスピーカ７の中心軸Ｓを中心とする同心円状の音の指向性に伴う、第１、第２の通気口２０、２１からの音の漏れを軽減することができ、これによりスピーカボックス８内の音圧を確保することができるので、スピーカ７の音を良好に放音させることができる。
【００６９】
この場合、第１の通気口２０と第２の通気口２１とは、スピーカ７を挟んで対向するスピーカボックス８の第１の側面部８ａと第２の側面部８ｂとに互いに対向して設けられていることにより、第１実施形態と同様、スピーカボックス８内に空気を効率良くかつ円滑に流すことができるので、より一層、スピーカボックス８内の温度上昇を確実にかつ良好に防ぐことができる。
【００７０】
また、第１の通気口２０と第２の通気口２１とは、スピーカ７の中心軸Ｓと直交する縦方向に沿ってそれぞれスリット状に設けられていることにより、スピーカボックス８内に空気を良好に流すことができると共に、スピーカ７で発生した音が第１の通気口２０と第２の通気口２１とから漏れるのを良好に軽減することができ、これによりスピーカボックス８内の音圧を確保することができるので、より一層、スピーカ７の音を良好に放音させることができる。
【００７１】
即ち、第１の通気口２０と第２の通気口２１とは、スピーカ７の中心軸Ｓと直交する縦方向の長さがスピーカ７の中心軸Ｓと平行な横方向の長さよりも十分に長く形成された細長いスリット状に形成されているので、スピーカ７で発生した音が第１の通気口２０と第２の通気口２１とから漏れるのを確実にかつ良好に抑えることができ、これにより、より一層、スピーカボックス８内の音圧を確保することができる。
【００７２】
この場合にも、スピーカボックス８は、第１の通気口２０と第２の通気口２１とに空気を流通させるための冷却ファン５を備えていることにより、この冷却ファン５によってスピーカボックス８内に空気を強制的に流すことができるので、スピーカボックス８内を確実にかつ良好に冷却することができる。
【００７３】
即ち、このスピーカボックス８では、冷却ファン５によってスピーカボックス８の第２の通気口２１からスピーカボックス８内に空気を取り込むことができ、この取り込んだ空気をスピーカボックス８の第１の通気口２０から送り出することができるので、スピーカボックス８内に空気を確実にかつ良好に流すことができ、これによりスピーカボックス８内を確実にかつ良好に冷却することができる。
【００７４】
なお、上述した第２実施形態では、スピーカ７を挟んで対向するスピーカボックス８の第１の側面部８ａと第２の側面部８ｂとに、第１の通気口２０と第２の通気口２１とをスピーカ７の中心軸Ｓと直交する縦方向に沿ってそれぞれスリット状に設けた場合について述べたが、この発明はこれに限らず、例えば、図１０および図１１に示す第２変形例のように、排気口である第１の通気口２５と吸気口である第２の通気口２６とを形成しても良い。
【００７５】
即ち、この第２変形例は、図１０および図１１に示すように、第１の通気口２５と第２の通気口２６とが、スピーカ７の中心軸Ｓと直交する縦方向に沿ってそれぞれ複数の孔２５ａ、２６ａを配列させた構成になっている。この場合にも、第１の通気口２５と第２の通気口２６とは、スピーカ７の中心部Ｇを避けて設けられていると共に、スピーカ７を挟んでスピーカボックス８の第１の側面部８ａと第２の側面部８ｂとに互いに対向して設けられている。
【００７６】
このため、このようなスピーカボックス８においても、第２実施形態と同様、第１の通気口２５と第２の通気口２６とによって、スピーカボックス８内の温度上昇を防ぐことができると共に、スピーカボックス８内の音圧を確保することができ、これによりスピーカ７の音を良好に放音させることができる。
【００７７】
また、この発明は、上述した第１、第２の実施形態および第１、第２の変形例に限らず、例えば、図１２に示す第３変形例のように、第１、第２の仕切部材３０、３１を備えた構成であっても良い。即ち、図１２に示された第３変形例の第１の仕切部材３０は、第１の通気口１１と対応した状態でスピーカ７の外周にその接線とほぼ平行に設けられている。また、第２の仕切部材３１は、第２の通気口１２と対応した状態でスピーカ７の外周にその接線とほぼ平行に設けられた構成になっている。
【００７８】
即ち、第１の仕切部材３０が、スピーカ７の中心部Ｇと第１の通気口１１とを放射状に結ぶ線（放射線Ｌ１と放射線Ｌ２との間）上に設けられている。及び／または第２の仕切部材３１が、スピーカ７の中心部Ｇと第２の通気口１２とを放射状に結ぶ線（放射線Ｌ３と放射線Ｌ４との間）上に設けられている。
【００７９】
この場合、第１の仕切部材３０は、図１２に示すように、板状に形成され、スピーカ７の外周に接近して配置されている。この第１の仕切部材３０は、スピーカ７の接線方向の長さが、スピーカ７の中心軸Ｓと第１の通気口１１の各内端部１１ａ、１１ｂとを放射状に結ぶ各放射線Ｌ１、Ｌ２間の長さよりも少し長く形成されている。
【００８０】
これにより、第１の仕切部材３０は、第１の通気口１１を塞ぐことなく、第１の通気口１１から離れた位置に設けられている。このため、第１の仕切部材３０は、スピーカ７の音が第１の通気口１１から直接漏れることがなく、スピーカボックス８内の空気が第１の仕切部３０に沿って流れるように構成されている。
【００８１】
また、第２の仕切部材３１は、図１２に示すように、第１の仕切部材３０と同様、板状に形成され、スピーカ７の外周に接近して配置されている。この第２の仕切部材３１も、スピーカ７の接線方向の長さが、スピーカ７の中心軸Ｓと第２の通気口１２の各内端部１２ａ、１２ｂとを放射状に結ぶ各放射線Ｌ３、Ｌ４間の長さよりも少し長く形成されている。
【００８２】
これにより、第２の仕切部材３１は、第２の通気口１２を塞ぐことなく、第２の通気口１２から離れた位置に設けられている。このため、第２の仕切部材３１は、スピーカ７の音が第２の通気口１２から直接漏れることがなく、スピーカボックス８内の空気が第２の仕切部３１に沿って流れるように構成されている。
【００８３】
このようなスピーカボックス８によれば、第１の通気口１１と第２の通気口１２とによって空気がスピーカボックス８内を流される際に、第１、第２の仕切部材３０、３１に沿って空気を流すことができるので、第１、第２の仕切部材３０、３１によって空気の流れが妨げられることがなく、第１実施形態と同様、スピーカボックス８内に空気を良好に流すことができ、これによりスピーカボックス８内の温度上昇を確実にかつ良好に防ぐことができる。
【００８４】
また、このスピーカボックス８では、第１の仕切部材３０が第１の通気口１１と対応した状態でスピーカ７の外周にその接線とほぼ平行に設けられているので、スピーカ７で発生した音が第１の通気口１１から直接漏れるのを第１の仕切部材３０によって抑えることができる。このため、スピーカボックス８内の音圧の低下を確実に防ぐことができるので、スピーカボックス８内の音圧を、より一層、確保することができ、スピーカ７の音を更に良好に放音させることができる。
【００８５】
同様に、このスピーカボックス８では、第２の仕切部材３１が第２の通気口１２と対応した状態でスピーカ７の外周にその接線とほぼ平行に設けられているので、スピーカ７で発生した音が第２の通気口１２から直接漏れるのを第２の仕切部材３１によって抑えることができる。このため、スピーカボックス８内の音圧の低下を確実に防ぐことができるので、スピーカボックス８内の音圧を、より一層、確保することができ、スピーカ７の音を更に良好に放音させることができる。
【００８６】
また、この発明は、上述した第１、第２の実施形態および第１〜第３の変形例に限らず、例えば、図１３に示す第４変形例のように、第１、第２の仕切部材３２、３３を備えた構成であっても良い。即ち、図１３に示された第４変形例の第１の仕切部材３２は、第１の通気口１１と対応した状態でスピーカ７の外周にその接線とほぼ平行に設けられている。  
【００８７】
また、第２の仕切部材３３は、第２の通気口１２と対応した状態でスピーカ７の外周にその接線とほぼ平行に設けられた構成になっている。即ち、第１の仕切部材３２が、スピーカ７の中心軸Ｓと第１の通気口１１とを放射状に結ぶ線上に設けられている。及び／または、第２の仕切部材３３が、スピーカ７の中心軸Ｓと第２の通気口１２とを放射状に結ぶ線上に設けられている。
【００８８】
この場合、第１の仕切部材３２は、図１３に示すように、板状に形成され、第１の通気口１１の内側に配置されている。この第１の仕切部材３２は、その大きさが第１の通気口１１とほぼ同じ大きさで、一端部が第１の通気口１１の一方の内端部１１ａに設けられ、他端部が第１の通気口１１の他方の内端部１１ｂからスピーカボックス８内に向けて離れている。
【００８９】
これにより、第１の仕切部材３２は、第１の通気口１１を塞ぐことがなく、第１の通気口１１を空気が流れるように構成されている。このため、第１の仕切部材３２は、スピーカ７の音が第１の通気口１１から直接漏れることがなく、スピーカボックス８内の空気が第１の仕切部３２に沿って流れるように構成されている。
【００９０】
また、第２の仕切部材３３は、図１３に示すように、第１の仕切部材３２と同様、板状に形成され、第２の通気口１２の内側に配置されている。この第２の仕切部材３３は、その大きさが第２の通気口１２とほぼ同じ大きさで、一端部が第２の通気口１２の一方の内端部１２ａに設けられ、他端部が第２の通気口１２の他方の内端部１２ｂからスピーカボックス８内に向けて離れている。
【００９１】
これにより、第２の仕切部材３３は、第２の通気口１２を塞ぐことがなく、第２の通気口１２を空気が流れるように構成されている。このため、第２の仕切部材３３は、スピーカ７の音が第２の通気口１２から直接漏れることがなく、スピーカボックス８内の空気が第２の仕切部３３に沿って流れるように構成されている。
【００９２】
このようなスピーカボックス８によれば、第３変形例と同様、第１の通気口１１と第２の通気口１２とによって空気がスピーカボックス８内を流される際に、第１、第２の仕切部材３２、３３に沿って空気を流すことができるので、第１、第２の仕切部材３２、３３によって空気の流れが妨げられることがなく、第１実施形態と同様、スピーカボックス８内に空気を良好に流すことができ、これによりスピーカボックス８内の温度上昇を確実にかつ良好に防ぐことができる。
【００９３】
また、このスピーカボックス８では、第１の仕切部材３２がスピーカ７の外周における接線とほぼ平行な状態で、第１の通気口１１の一方の内端部１１ａにこれと対応して設けられているので、スピーカ７で発生した音が第１の通気口１１から直接漏れるのを第１の仕切部材３２によって抑えることができる。このため、スピーカボックス８内の音圧の低下を確実に防ぐことができるので、スピーカボックス８内の音圧を、より一層、確保することができ、スピーカ７の音を更に良好に放音させることができる。
【００９４】
同様に、このスピーカボックス８では、第２の仕切部材３３がスピーカ７の外周における接線とほぼ平行な状態で、第２の通気口１２の一方の内端部１２ａにこれと対応して設けられているので、スピーカ７で発生した音が第２の通気口１２から直接漏れるのを第２の仕切部材３３によって抑えることができる。このため、スピーカボックス８内の音圧の低下を確実に防ぐことができるので、スピーカボックス８内の音圧を、より一層、確保することができ、スピーカ７の音を更に良好に放音させることができる。
【００９５】
なお、上述した第３、第４の変形例では、第１、第２の仕切部材３０〜３３を、スピーカ７の中心軸Ｓと平行に設けられた第１、第２の通気口１１、１２に対応させて設けた場合について述べたが、この発明は、これに限らず、第２の実施形態および第１、第２の変形例の第１の通気口１５、２０、２５および第２の通気口１６、２１、２６を備えたスピーカボックス８にも適用しても良い。
【００９６】
また、上述した第１、第２の実施形態およびその第１〜第４の変形例では、スピーカ７を挟んで対向するスピーカボックス８の第１の側面部８ａと第２の側面部８ｂとに、第１の通気口１１、１５、２０、２５と第２の通気口１２、１６、２１、２６とを互いに対向させて設けた場合について述べたが、この発明は、スピーカボックス８の第１の側面部８ａと第２の側面部８ｂとに、第１の通気口１１、１５、２０、２５と第２の通気口１２、１６、２１、２６とを互いに対向させて設ける必要はなく、互いにずれた位置に設けた構成であっても良い。
【００９７】
さらに、上述した第１、第２の実施形態およびその第１〜第４の変形例では、撮影装置に適用した場合について述べたが、この発明は必ずしも投影装置である必要はなく、例えば音響機器などのスピーカを備えた電子機器にも適用することができる。
【００９８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９９】
（付記）
請求項１に記載の発明は、スピーカを収容するスピーカボックスであって、前記スピーカの中心軸と平行な前記スピーカボックスの第１の側面部に、前記スピーカの中心部を避けて設けられた排気口と、前記スピーカを挟んで前記第１の側面部に対向する前記スピーカボックスの第２の側面部に、前記スピーカの中心部を避けて設けられた吸気口と、を備えていることを特徴するスピーカボックスである。
【０１００】
請求項２に記載の発明は、請求項１に記載のスピーカボックスにおいて、前記排気口は、前記スピーカの中心部と前記第１の側面部とを結ぶ前記第１の側面部の法線軸に対して外れた位置に設けられており、前記吸気口は、前記スピーカの中心部と前記第２の側面部とを結ぶ前記第２の側面部の法線軸に対して外れた位置に設けられていることを特徴とするスピーカボックスである。
【０１０１】
請求項３に記載の発明は、請求項１または請求項２に記載のスピーカボックスにおいて、前記排気口と前記吸気口とは、前記スピーカを挟んで互いに対向して設けられていることを特徴するスピーカボックスである。
【０１０２】
請求項４に記載の発明は、請求項１〜請求項３のいずれかに記載のスピーカボックスにおいて、前記排気口と前記吸気口とは、前記スピーカの前記中心軸と平行な方向に沿ってそれぞれスリット状に設けられていることを特徴するスピーカボックスである。
【０１０３】
請求項５に記載の発明は、請求項１〜請求項３のいずれかに記載のスピーカボックスにおいて、前記排気口と前記吸気口とは、前記スピーカの前記中心軸と平行な方向に沿ってそれぞれ複数の孔が配列されていることを特徴するスピーカボックスである。
【０１０４】
請求項６に記載の発明は、請求項１〜請求項３のいずれかに記載のスピーカボックスにおいて、前記排気口と前記吸気口とは、前記スピーカの前記中心軸と直交する方向に沿ってそれぞれスリット状に設けられていることを特徴するスピーカボックスである。
【０１０５】
請求項７に記載の発明は、請求項１〜請求項３のいずれかに記載のスピーカボックスにおいて、前記排気口と前記吸気口とは、前記スピーカの前記中心軸と直交する方向に沿ってそれぞれ複数の孔が配列されていることを特徴するスピーカボックスである。
【０１０６】
請求項８に記載の発明は、請求項１〜請求項７のいずれかに記載のスピーカボックスにおいて、前記スピーカの外周には、仕切部材が、前記スピーカの中心部と前記排気口とを放射状に結ぶ線上、または前記スピーカの中心部と前記吸気口とを放射状に結ぶ線上に設けられていることを特徴とするスピーカボックスである。
【０１０７】
請求項９に記載の発明は、請求項１〜請求項８のいずれかに記載のスピーカボックスにおいて、前記排気口と前記吸気口とに空気を流通させるための冷却ファンを備えていることを特徴とするスピーカボックスである。
【０１０８】
請求項１０に記載の発明は、請求項１〜請求項９のいずれかに記載のスピーカボックスにおいて、前記スピーカは、電磁石、振動板およびコーンを備え、前記スピーカの中心部は、前記スピーカの振動板と前記スピーカの中心軸との交点の位置であることを特徴とするスピーカボックスである。
【０１０９】
請求項１１に記載の発明は、請求項１〜請求項１０のいずれかに記載されたスピーカボックスを備えていることを特徴とする投影装置である。
【符号の説明】
【０１１０】
１  外装ケース
２  投影部
３  スピーカ部
４  冷却部
５  冷却ファン
６  流路部
６ａ  排気口
６ｂ  吸気口
７  スピーカ
８  スピーカボックス
８ａ  第１の側面部
８ｂ  第２の側面部
１１、１５、２０、２５  第１の通気口（排気口）
１２、１６、２１、２６  第２の通気口（吸気口）
１５ａ、２５ａ  孔
１６ａ、２６ａ  孔
３０、３２  第１の仕切部材
３１、３３  第２の仕切部材
Ｓ  中心軸
Ｇ  中心部
【図１】
2018133706.tif 000003
【図２】
2018133706.tif 000004
【図３】
2018133706.tif 000005
【図４】
2018133706.tif 000006
【図５】
2018133706.tif 000007
【図６】
2018133706.tif 000008
【図７】
2018133706.tif 000009
【図８】
2018133706.tif 000010
【図９】
2018133706.tif 000011
【図１０】
2018133706.tif 000012
【図１１】
2018133706.tif 000013
【図１２】
2018133706.tif 000014
【図１３】
2018133706.tif 000015